(57)【特許請求の範囲】
【請求項１】
セントラル式真空掃除機の集塵器から排気ダクトを配設して建物内の床面に形設した掃除口又は吸引口に、開閉可能に装着されバルブを架構したカプラ本体と、該カプラ本体の床面開口部に脱着可能に装着される蓋体とを有した、設置蓋面が耐荷重床面の一部を構成したセントラル式真空掃除機の床用カプラであって、
前記蓋体が、パッキング材と剛性盤体からなる複合構造を有し、前記パッキング材が前記カプラ本体の開口内面に弾性的に嵌着する栓封リブを有して床面開口部を全面閉鎖し、かつ、ダイアフラム状の内蓋面を形成するものであり、
前記剛性盤体が、盤面の一部を切り欠いて孔に形成した操作口を有し、前記パッキング材の栓封リブの設置外面の内周壁に弾性的に取着され、建物内に臨ませて耐荷重床面の一部を構成する外蓋面を形成するものであり、
前記剛性盤体の操作口は孔に指を差し込んで口縁部を掴んで操作する蓋体の脱着手段とし、かつ、設置蓋面の耐荷重強度を増補するようにしたことを特徴とするセントラル式真空掃除機の床用カプラ。
【請求項２】
パッキング材がゴムその他の弾性樹脂材料からなるものであり、剛性盤体がステンレス鋼その他の金属製盤体であり、操作口が盤面の中央部に円孔を形設したものである請求項１記載のセントラル式真空掃除機の床用カプラ。
【請求項３】
請求項１又は２記載の床用カプラの蓋構造であって、
バルブを架構したカプラ本体が開口内面に受け座を有し、
パッキング材が栓要素からなり、栓封リブを有して前記開口内面に弾性的に嵌着して前記受け座に係止され、床面開口部を全面閉鎖し、かつ、ダイアフラム状の内蓋面を形成するとともに、
前記栓封リブの設置外面の内壁に周溝を有して剛性盤体の外周縁を弾性的に挟着することにより一体的に結合し、該盤体を建物内に臨ませて耐荷重床面の一部を構成し、かつ、前記盤体の中央部に盤面の一部を切り欠いて孔に形成した操作口を有してなり、
前記操作口は孔に指を差し込んで口縁部を掴んで、カプラ本体の床面開口部に対して嵌め込み又は引き抜き操作することにより脱着可能に設置したことを特徴とする床用カプラの蓋構造。
【発明の詳細な説明】
【０００１】
【発明の属する技術分野】
本発明は、建物の特定の箇所に設置された集塵器と、吸引駆動源と、排気ダクトからなる集中吸引導入手段と、該集中吸引導入手段の建物内（清掃室側）の開口端（掃除口又は吸引口）に接続され、床面から突出しないように沈設される吸引弁（本発明に関しカプラ）を具備し、前記カプラに清掃用アタッチメントを接続することで、建物内の清掃をおこなうセントラル式真空掃除機の床用カプラの改善に係り、詳しくは、蓋体の構成要素から開閉又は脱着操作に係る可動要素を除去して、設置蓋面が耐荷重床面の一部を構成したセントラル式真空掃除機の床用カプラ及びその蓋構造に関する。
【０００２】
なお、セントラル式は集中式と同義であり、セントラル式真空掃除機は、集中吸引掃除装置、セントラルクリーナその他複数の通称がある。また、カプラ(coupler) は、文字どおり連結器の意であるが、この種の装置においてバルブを架構（framework)した吸引弁、接続バルブその他複数の通称がある。
【０００３】
【従来の技術】
従来より、クリーンルームその他の高い清浄度を要求する建物内（清掃室に同じ。）では、その環境条件を維持するために、セントラル式真空掃除機が設備されてきた。
【０００４】
セントラル式真空掃除機は、一般に、建物の特定の箇所に設置された集塵器と、吸引駆動源と、排気ダクトからなる集中吸引導入手段と、該集中吸引導入手段の建物内の掃除口又は吸引口に接続され、壁面、床面又は天井面から突出しないように沈設されるカプラを具備し、建物内（空気中を含む）の塵埃を室外に排出除去する構成となっている。
【０００５】
ここで、床については、床用カプラに清掃用アタッチメントを接続することで、床面の清掃をおこなうようにしている。当然のことながら、床用カプラは脱着可能な蓋体を有している。
【０００６】
この場合、床用カプラの設置状態が作業上に支障を来さないものであることが要請される。例えば、作業員や機器の床面移動において、床用カプラの蓋面の浮き、跳ね返り、損傷等は事故にもつながり、安全性や耐久性が求められる。
【０００７】
こうしたなかで、従来的な床用カプラの蓋体１は、図３に示すように、回転により蓋面３（12）から出没可能な半円状断面の把手部材（可動要素）を有し、平時はフラットに収まり蓋面３（12）の一部を構成し、取り外し時に反転させて蓋体１の脱着操作用把手として使用するものが知られている。なお、本発明と共通する構成要素については共通符号を用いた。
【０００８】
【発明が解決しようとする課題】
しかしながら、従来の把手部材は鋳物製であり、台車等の重量物が蓋面を繰り返し通過して移動をおこなうと変形したり破損することがたびたびあった。
【０００９】
また、把手部材は半円の弦の中央部を上板に軸支しており、部品点数、構造的な脆弱性、及び製造コストに問題があった。しかも、変形や破損があった場合に、部品を取り替えることができなかった。
【００１０】
本発明はこのような事情に鑑みなされたものであって、上記課題を解消し、蓋体の構成要素から開閉又は脱着操作に係る可動要素を除去して、設置蓋面が耐荷重床面の一部を構成したセントラル式真空掃除機の床用カプラ及びその蓋構造を提供するものである。
【００１１】
【課題を解決するための手段】
課題を解決するために本発明は、セントラル式真空掃除機の集塵器から排気ダクトを配設して建物内の床面に形設した掃除口又は吸引口に開閉可能に装着され、バルブを架構したカプラ本体と該カプラ本体の床面開口部に脱着可能に装着される蓋体を有した床用カプラの改善において、
蓋体の構成要素から開閉又は脱着操作に係る可動要素を除去して、設置蓋面が耐荷重床面の一部を構成したセントラル式真空掃除機の床用カプラであって、
前記蓋体が、パッキング材と剛性盤体からなる複合構造を有し、前記パッキング材が前記カプラ本体の開口内面に弾性的に嵌着する栓封リブを有して床面開口部を全面閉鎖し、かつ、ダイアフラム状の内蓋面を形成するものであり、
前記剛性盤体が、盤面の一部を切り欠いて孔形成した操作口を有し、前記パッキング材の栓封リブの設置外面の内周壁に弾性的に取着され、建物内に臨ませて耐荷重床面の一部を構成する外蓋面を形成するものであり、
剛性盤体の操作口を蓋体の脱着手段とし、かつ、設置蓋面の耐荷重強度を増補するようにしたことを特徴とするものである。
【００１２】
また、上記床用カプラの蓋構造であって、バルブを架構したカプラ本体が開口内面に受け座を有し、パッキング材が栓要素からなり、栓封リブを有して前記開口内面に弾性的に嵌着して前記受け座に係止され、床面開口部を全面閉鎖し、かつ、ダイアフラム状の内蓋面を形成するとともに、前記栓封リブの設置外面の内壁に周溝を有して剛性盤体の外周縁を弾性的に挟着することにより一体的に結合し、該盤体を建物内に臨ませて耐荷重床面の一部を構成し、かつ、前記盤体の中央部に盤面の一部を切り欠いて孔形成した操作口を有してなり、前記操作口を掴んで、カプラ本体の床面開口部に対して嵌め込み又は引き抜き操作することにより脱着可能に設置したことを特徴とするものである。
【００１３】
【発明の実施の形態】
本発明の実施の形態を添付図面を参照して以下説明する。
【００１４】
図１は、本発明の床用カブラ（以下、実施例カプラ。）の構造を示す説明図であり、（ａ）が部分平面図、及び（ｂ）が部分決截断面図である。
【００１５】
図２は、蓋体の外観図である。それぞれ図示するように、実施例カプラＸは、カプラ本体４の床面開口部41に脱着可能に装着される蓋体１を特徴的構成とするものである。
【００１６】
蓋体１は、ゴムパッキング材２と金属製盤体３からなる複合構造を有したものとされる。金属製盤体３はステンレス製のものが好ましい。
【００１７】
ゴムパッキング材２は、カプラ本体４の開口内面に弾性的に嵌着する栓封リブ21を有して床面開口部41を全面閉鎖し、かつ、ダイアフラム状の内蓋面11を形成するものである。
【００１８】
金属製盤体３は、単一盤面の中央部に円孔を形成した操作口31を有し、ゴムパッキング材２の栓封リブ21の設置外面の内周壁に弾性的に取着される。設置状態において、金属製盤体３の片面（設置蓋面）を建物内に臨ませて、耐荷重床面の一部を構成する外蓋面12を形成している。
【００１９】
そして、金属製盤体３の操作口31を蓋体１の脱着手段とし、かつ、設置蓋面（12）の耐荷重強度を増補することにより、蓋体１の構成要素から開閉又は脱着操作に係る可動要素を除去して、設置蓋面（12）が耐荷重床面の一部を構成するものとしている。
【００２０】
したがって、その蓋構造は以下のとおりである。
【００２１】
バルブを架構したカプラ本体４は開口内面にゴムパッキング材２の受け座42を有している。受け座42は、要するに筒体を径を違えて絞った異径段差である。
【００２２】
ゴムパッキング材２は栓要素からなり、栓封リブ21を有してカプラ本体４の開口内面（41）に弾性的に嵌着して受け座42に係止され、カプラ本体４の床面開口部41を全面閉鎖し、かつ、ダイアフラム状の内蓋面11を形成している。ダイアフラム状とは、可撓性の膜体（膜面）構造となっている状態をいうものである。これにより、後述の蓋体１の脱着操作が窮屈ではなく容易となる。すなわち、操作口31に指を差し込んで口縁部を掴み、カプラ本体４の床面開口部41に対して嵌め込み又は引き抜き操作する。しかも、カプラ本体４の床面開口部41はゴムパッキング材２により完全に封鎖されるので、発塵することがない。
【００２３】
栓封リブ21の設置蓋面（12）の内壁には、周溝22を有しており、金属製盤体３の外周縁を弾性的に挟着することにより一体的に結合している。（この点については、公知構造と変わらない。）
【００２４】
金属製盤体３は、盤面の中央部に円孔を形成した操作口31を有しており、この操作口31を掴んで、カプラ本体４の床面開口部41に対して嵌め込み又は引き抜き操作することにより脱着可能に設置され、盤体の片面（設置蓋面12）を建物内に臨ませて耐荷重床面の一部を構成する。
【００２５】
【発明の効果】
本発明は以上の構成よりなるものであり、これによればゴムパッキング材を内蓋面とし、単一の金属製盤体を外蓋面として、蓋体の構成要素から開閉又は脱着操作に係る可動要素を除去しているので、設置蓋面の耐荷重強度を増補することができる。したがって、台車等の重量物が蓋面を繰り返し通過して移動をしても変形したり破損するという構造的な脆弱性を克服したものとなっており、長寿命である。蓋構造が簡素であり、脱着操作が容易である。しかも安価で提供できる。全体として、クリーンルーム等への適用において極めて有効であり、産業上の利用価値が高い。
【図面の簡単な説明】
【図１】実施例カプラの構造を示す説明図であり、（ａ）が部分平面図、及び（ｂ）が部分決截断面図である。
【図２】蓋体の外観図である。
【図３】従来の床用カプラの蓋体の外観図である。
【符号の説明】
１  蓋体
11  内蓋面
12  外蓋面（設置蓋面）
２  ゴムパッキング材〔パッキング材〕
21  栓封リブ
22  周溝
３  金属製盤体〔剛性盤体〕
31  操作口（脱着手段）
４  カプラ本体（バルブ架構）
41  床面開口部
42  受け座
５  掃除口又は吸引口
６  排気ダクト
Ｆ  床面
Ｒ  建物内（清掃室側）
Ｘ  実施例カプラ
【図１】
0004106679.tif 000002
【図２】
0004106679.tif 000003
【図３】
0004106679.tif 000004